(57)【特許請求の範囲】
【請求項１】
シフトレジスタであって、
電圧シフトモジュールと、電圧逆方向モジュールと、補充電圧モジュールと、電圧シフト制御モジュールと、第１の出力ポートと、第２の出力ポートとを有し、
電圧シフトモジュールは、第１の起動電圧信号の制御のもとで起動電圧と同じ方向の電圧を受け付け、第２の起動電圧信号の制御のもとで、受け付けた起動電圧と同じ方向の電圧を前記第２の出力ポートから出力し、同時に電圧逆方向モジュールに出力し、
電圧逆方向モジュールは、電圧シフトモジュールに接続され、受け付けた前記電圧シフトモジュールが出力した電圧と逆方向電圧源が提供する電圧の制御のもとで、起動電圧と逆方向の電圧を、前記第１の出力ポートから出力し、同時に補充電圧モジュールに出力し、第１の起動電圧信号と起動電圧源の提供する電圧、あるいは第３の起動電圧信号と起動電圧源が提供する電圧の制御のもとで、起動電圧と同じ方向の電圧を前記第１の出力ポートから出力し、同時に補充電圧モジュールに出力し、
補充電圧モジュールは、電圧逆方向モジュールと電圧シフトモジュールとに接続され、受け付けた前記電圧逆方向モジュールが出力した電圧と逆方向電圧源が提供する電圧の制御のもとで、電圧逆方向モジュールが起動電圧と同じ方向の電圧を出力した場合、前記第２の出力ポートから前記起動電圧と逆方向の電圧を出力し、同時に電圧逆方向モジュールに出力し、
電圧シフト制御モジュールは電圧シフトモジュールに接続され、第３の起動電圧信号と逆方向電圧源が提供する電圧の制御のもとで、電圧シフトモジュールのオフを制御する、シフトレジスタ。
【請求項２】
前記第１の起動電圧信号は第１のクロック信号（ＣＬＫ１）であり、前記第２の起動電圧信号は第２のクロック信号（ＣＬＫ２）であり、前記第３の起動電圧信号は第３のクロック信号（ＣＬＫ３）である請求項１に記載のシフトレジスタ。
【請求項３】
前記電圧シフトモジュールは、
第１の起動電圧信号（ＣＬＫ１）の制御のもとでスイッチ操作を行い、受け付けた前記起動電圧と同じ方向の電圧を、充電電圧として第１のコンデンサに出力し、制御電圧として第２のスイッチ素子に出力するように制御する第１のスイッチ素子と、
第１のスイッチ素子がオンになって起動電圧と同じ方向の電圧を受け付けたとき、第２のスイッチ素子に一つの駆動制御電圧を提供するように充電を行う第１のコンデンサと、
第１のスイッチ素子が出力する起動電圧、第１のコンデンサが提供する駆動制御電圧あるいは第１の制御素子が出力する逆方向電圧の制御のもとでスイッチ操作を行い、起動電圧が第２の出力ポートから出力するように制御する第２のスイッチ素子と、を有し、
前記電圧逆方向モジュールは、
第３のスイッチ素子が出力する起動電圧の制御のもとでスイッチ操作を行い、逆方向電圧源が第４のスイッチ素子を通じて第１の出力ポートから出力するように制御する第４のスイッチ素子と、
第１の起動電圧信号（ＣＬＫ１）の制御のもとでスイッチ操作を行い、起動電圧源が充電電圧として第２のコンデンサに出力し、制御電圧として第６のスイッチ素子に出力するように制御する第５のスイッチ素子と、
第４のスイッチ素子がオンになって逆方向電圧源を受け付けたとき、第６のスイッチ素子をオフにする第２のコンデンサと、
第５のスイッチ素子、第７のスイッチ素子が出力する制御電圧あるいは第２のコンデンサの制御のもとでスイッチ操作を行い、起動電圧源が第１の出力ポートから出力するように制御する第６のスイッチ素子と、
第３の起動電圧信号（ＣＬＫ３）の制御のもとでスイッチ操作を行い、起動電圧源が制御電圧として第６のスイッチ素子に出力するように制御する第７のスイッチ素子と、を有し、
前記補充電圧モジュールは、
第１の出力ポートが出力する電圧の制御のもとでスイッチ操作を行い、逆方向電圧源がオフ電圧として第４のスイッチ素子に出力し、且つ逆方向電圧源を第２の出力ポートｋら出力するように制御する第３の制御素子と、を有し、
前記電圧シフト制御モジュールは、
第３の起動電圧信号（ＣＬＫ３）の制御のもとでスイッチ操作を行い、第１のコンデンサが逆方向電圧源と接続した後に放電するように制御し、逆方向電圧源が制御電圧として第２のスイッチ素子に出力するように制御する第１の制御素子と、を有し、
逆方向電圧源は起動電圧シフトモジュールの電圧と逆方向の電圧を出力するために用いられ、
起動電圧源は起動電圧シフトモジュールの電圧と同じ方向の電圧を出力するために用いられる請求項１または請求項２に記載のシフトレジスタ。
【請求項４】
当該シフトレジスタは、更に、
電圧シフトモジュールと電圧逆方向モジュールに接続され、起動電圧源が提供する電圧の制御のもとで、受け付けた電圧シフトモジュールが出力した電圧を電圧安定させた後に第２の出力ポートから出力し、且つ電圧逆方向モジュールに出力するために用いられる電圧安定モジュールと、
電圧逆方向モジュールと電圧安定モジュールに接続され、受け付けた前記電圧逆方向モジュールが第１の出力ポートから出力した電圧と逆方向電圧源が提供する電圧の制御のもとで、電圧逆方向モジュールが起動電圧と同じ方向の電圧を出力したときに、電圧安定モジュールをオフにするために用いられる電圧安定制御モジュールと、を有する請求項１ないし請求項３のいずれかに記載のシフトレジスタ。
【請求項５】
前記電圧安定モジュールは、
第２のスイッチ素子が出力する制御電圧あるいは第２の制御素子が出力する制御電圧の制御のもとでスイッチ操作を行い、起動電圧源が制御電圧として第４のスイッチ素子に出力するように制御し、起動電圧源が第２の出力ポートから出力するように制御する第３のスイッチ素子と、を有し、
前記電圧安定制御モジュールは、
第１の出力ポートが出力する電圧の制御のもとでスイッチ操作を行い、逆方向電圧源がオフ電圧として第３のスイッチ素子に出力するように制御する第２の制御素子と、を有する請求項４に記載のシフトレジスタ。
【請求項６】
前記第１ないし第７のスイッチ素子、第１の制御素子ないし第３の制御素子がＮ型電界効果トランジスタである場合、前記逆方向電圧源は低電圧源（Ｖｇｌ）であり、前記起動電圧源は高電圧源（Ｖｇｈ）であり、且つ、
第１のスイッチ素子は、第１の薄膜トランジスタ（Ｍ１）を有し、当該第１の薄膜トランジスタは第１の起動電圧信号（ＣＬＫ１）を受け付ける一つのゲート極と、起動電圧と同じ方向の電圧を受け付ける一つのドレイン極と、第２の薄膜トランジスタ（Ｍ２）のゲート極と第１のコンデンサの一端に接続される一つのソース極とを有し、
第２のスイッチ素子は、第２の薄膜トランジスタ（Ｍ２）を有し、当該第２の薄膜トランジスタ（Ｍ２）は、第１の薄膜トランジスタ（Ｍ１）のソース極に接続される一つのゲート極と、第２の起動電圧信号（ＣＬＫ２）を受け付ける一つのドレイン極と、第３の薄膜トランジスタ（Ｍ３）のゲート極に接続される一つのソース極とを有し、
第１のコンデンサの一端は第２の薄膜トランジスタ（Ｍ２）のゲート極に接続され、他端は第２の薄膜トランジスタ（Ｍ２）のソース極に接続され、
第３のスイッチ素子は、第３の薄膜トランジスタ（Ｍ３）を有し、当該第３の薄膜トランジスタ（Ｍ３）は、第２の薄膜トランジスタ（Ｍ２）のソース極に接続される一つのゲート極と、高電圧源（Ｖｇｈ）を受け付ける一つのドレイン極と、第４の薄膜トランジスタ（Ｍ４）のゲート極と第２の出力ポートに接続される一つのソース極とを有し、
第４のスイッチ素子は、前記第４の薄膜トランジスタ（Ｍ４）を有し、当該第４の薄膜トランジスタ（Ｍ４）は、第３の薄膜トランジスタ（Ｍ３）のソース極に接続される一つのゲート極と、第１の出力ポートに接続される一つのドレイン極と、低電圧源（Ｖｇｌ）を受け付ける一つのソース極とを有し、
第５のスイッチ素子は、第５の薄膜トランジスタ（Ｍ５）を有し、当該第５の薄膜トランジスタ（Ｍ５）は、第１の起動電圧信号（ＣＬＫ１）を受け付ける一つのゲート極と、高電圧源（Ｖｇｈ）を受け付ける一つのドレイン極と、第６の薄膜トランジスタ（Ｍ６）のゲート極に接続される一つのソース極とを有し、
第２のコンデンサの一端は前記第６の薄膜トランジスタ（Ｍ６）のゲート極に接続され、他端は前記第６の薄膜トランジスタ（Ｍ６）のソース極に接続され、
第６のスイッチ素子は、前記第６の薄膜トランジスタ（Ｍ６）を有し、当該第６の薄膜トランジスタは、前記第５の薄膜トランジスタ（Ｍ５）と第７の薄膜トランジスタ（Ｍ７）のソース極に接続される一つのゲート極と、高電圧源（Ｖｇｈ）を受け付ける一つのドレイン極と、第４の薄膜トランジスタ（Ｍ４）のドレイン極に接続され、第１の出力ポートに接続される一つのソース極とを有し、
第７のスイッチ素子は、前記第７の薄膜トランジスタ（Ｍ７）を有し、当該第７の薄膜トランジスタ（Ｍ７）は、第３の起動電圧信号（ＣＬＫ３）を受け付ける一つのゲート極と、高電圧源（Ｖｇｈ）を受け付ける一つのドレイン極と、第６の薄膜トランジスタ（Ｍ６）のゲート極に接続される一つのソース極とを有し、
第１の制御素子は、第８の薄膜トランジスタ（Ｍ８）を有し、当該第８の薄膜トランジスタ（Ｍ８）は、第３の起動電圧信号（ＣＬＫ３）を受け付ける一つのゲート極と、第２の薄膜トランジスタ（Ｍ２）のゲート極に接続される一つのドレイン極と、低電圧源（Ｖｇｌ）を受け付ける一つのソース極とを有し、
第２の制御素子は、第９の薄膜トランジスタ（Ｍ９）を有し、当該第９の薄膜トランジスタ（Ｍ９）は、第４の薄膜トランジスタ（Ｍ４）のドレイン極に接続される一つのゲート極と、第３の薄膜トランジスタ（Ｍ３）のゲート極に接続される一つのドレイン極と、低電圧源（Ｖｇｌ）を受け付ける一つのソース極とを有し、
第３の制御素子は、第１０の薄膜トランジスタ（Ｍ１０）を有し、当該第１０の薄膜トランジスタは、第４の薄膜トランジスタ（Ｍ４）のドレイン極に接続される一つのゲート極と、第３の薄膜トランジスタ（Ｍ３）のソース極に接続される一つのドレイン極と、低電圧源（Ｖｇｌ）を受け付ける一つのソース極と、を有する請求項５に記載のシフトレジスタ。
【請求項７】
前記第１ないし第７のスイッチ素子、第１の制御素子ないし第３の制御素子がＰ型電界効果トランジスタである場合、前記逆方向電圧源は高電圧源（Ｖｇｈ）であり、前記起動電圧源は低電圧源（Ｖｇｌ）であり、且つ、
第１のスイッチ素子は、第１の薄膜トランジスタ（Ｍ１）を有し、当該第１の薄膜トランジスタ（Ｍ１）は第１の起動電圧信号（ＣＬＫ１）を受け付ける一つのゲート極と、起動電圧と同じ方向の電圧を受け付ける一つのドレイン極と、第２の薄膜トランジスタ（Ｍ２）のゲート極に接続される一つのソース極とを有し、
第２のスイッチ素子は、前記第２の薄膜トランジスタ（Ｍ２）を有し、当該第２の薄膜トランジスタ（Ｍ２）は、前記第１の薄膜トランジスタ（Ｍ１）のソース極に接続される一つのゲート極と、第２の起動電圧信号（ＣＬＫ２）を受け付ける一つのドレイン極と、第３の薄膜トランジスタ（Ｍ３）のゲート極に接続される一つのソース極とを有し、
第１のコンデンサの一端は第２の薄膜トランジスタ（Ｍ２）のゲート極に接続され、他端は第２の薄膜トランジスタ（Ｍ２）のソース極に接続され、
第３のスイッチ素子は、前記第３の薄膜トランジスタ（Ｍ３）を有し、当該第３の薄膜トランジスタ（Ｍ３）は、前記第２の薄膜トランジスタ（Ｍ２）のソース極に接続される一つのゲート極と、低電圧源（Ｖｇｌ）を受け付ける一つのドレイン極と、第４の薄膜トランジスタ（Ｍ４）のゲート極と第２の出力ポートに接続される一つのソース極とを有し、
第４のスイッチ素子は、前記第４の薄膜トランジスタ（Ｍ４）を有し、当該第４の薄膜トランジスタ（Ｍ４）は、前記第３の薄膜トランジスタ（Ｍ３）のソース極に接続される一つのゲート極と、第１の出力ポートに接続される一つのドレイン極と、高電圧源（Ｖｇｈ）を受け付ける一つのソース極とを有し、
第５のスイッチ素子は、第５の薄膜トランジスタ（Ｍ５）を有し、当該第５の薄膜トランジスタ（Ｍ５）は、第１の起動電圧信号（ＣＬＫ１）を受け付ける一つのゲート極と、低電圧源（Ｖｇｌ）を受け付ける一つのドレイン極と、第６の薄膜トランジスタ（Ｍ６）のゲート極に接続される一つのソース極とを有し、
第２のコンデンサの一端は第６の薄膜トランジスタ（Ｍ６）のゲート極に接続され、他端は第６の薄膜トランジスタ（Ｍ６）のソース極に接続され、
第６のスイッチ素子は、前記第６の薄膜トランジスタ（Ｍ６）を有し、当該第６の薄膜トランジスタは、前記第５の薄膜トランジスタ（Ｍ５）のソース極に接続される一つのゲート極と、低電圧源（Ｖｇｌ）を受け付ける一つのドレイン極と、第１の出力ポートに接続される一つのソース極とを有し、
第７のスイッチ素子は、第７の薄膜トランジスタ（Ｍ７）を有し、当該第７の薄膜トランジスタ（Ｍ７）は、第３の起動電圧信号（ＣＬＫ３）を受け付ける一つのゲート極と、低電圧源（Ｖｇｌ）を受け付ける一つのドレイン極と、前記第６の薄膜トランジスタ（Ｍ６）のゲート極に接続される一つのソース極とを有し、
第１の制御素子は、第８の薄膜トランジスタ（Ｍ８）を有し、当該第８の薄膜トランジスタ（Ｍ８）は、第３の起動電圧信号（ＣＬＫ３）を受け付ける一つのゲート極と、前記第２の薄膜トランジスタ（Ｍ２）のゲート極に接続される一つのドレイン極と、高電圧源（Ｖｇｈ）を受け付ける一つのソース極とを有し、
第２の制御素子は、第９の薄膜トランジスタ（Ｍ９）を有し、当該第９の薄膜トランジスタ（Ｍ９）は、前記第４の薄膜トランジスタ（Ｍ４）のドレイン極に接続される一つのゲート極と、第３の薄膜トランジスタ（Ｍ３）のゲート極に接続される一つのドレイン極と、高電圧源（Ｖｇｈ）を受け付ける一つのソース極とを有し、
第３の制御素子は、第１０の薄膜トランジスタ（Ｍ１０）を有し、当該第１０の薄膜トランジスタは、前記第４の薄膜トランジスタ（Ｍ４）のドレイン極に接続される一つのゲート極と、前記第３の薄膜トランジスタ（Ｍ３）のソース極に接続される一つのドレイン極と、高電圧源（Ｖｇｈ）を受け付ける一つのソース極と、を有する請求項５に記載のシフトレジスタ。
【請求項８】
シフトレジスタがシフトを実現する方法であって、前記シフトレジスタは、電圧シフトモジュールと、電圧逆方向モジュールと、補充電圧モジュールと、電圧シフト制御モジュールと、第１の出力ポートと、第２の出力ポートとを有し、当該方法は、
電圧シフトモジュールは、第１の起動電圧の制御のもとで起動電圧と同じ方向の電圧を受け付け、第２の起動電圧信号の制御のもとで第２の出力ポートから起動電圧と同じ方向の電圧を出力し、
電圧逆方向モジュールは、受け付けた電圧シフトモジュールが出力した電圧の制御のもとで、起動電圧と逆方向の電圧を、前記第１の出力ポートから出力し、第１の起動電圧と第３の起動電圧の制御のもとで、起動電圧と同じ方向の電圧を前記第１の出力ポートから出力し、
補充電圧モジュールは、受け付けた前記電圧逆方向モジュールが出力した電圧の制御のもとで、電圧逆方向モジュールが起動電圧を出力した場合に、前記第２の出力ポートから前記起動電圧と逆方向の電圧を出力し、
電圧シフト制御モジュールは、受け付けた第３の起動電圧の制御のもとで、電圧逆方向モジュールが起動電圧を出力した場合に、電圧シフトモジュールのオフを制御する方法。
【請求項９】
駆動回路であって、第１段のシフトレジスタと、最後の段のシフトレジスタと、少なくとも一つの中間の段のシフトレジスタを有し、それぞれのシフトレジスタは請求項１〜７のいずれかに記載のシフトレジスタであり、前記シフトレジスタ間はカスケード接続方式で接続され、一段上のシフトレジスタにおける第２の出力ポートは一段下のシフトレジスタの電圧シフトモジュールに接続され、
第１段のシフトレジスタは、外部電圧を受け付け、第２の出力ポートから一段下のシフトレジスタに電圧を出力し、且つ第１の出力ポートから第２の出力ポートが出力する電圧と逆方向の電圧を出力するために用いられ、
それぞれの中間の段のシフトレジスタは、一段上のシフトレジスタの第２の出力ポートが出力する電圧を受け付け、各自の第２の出力ポートから一段下のシフトレジスタに電圧を出力し、且つ各自の第１の出力ポートから各自の第２の出力ポートが出力する電圧と逆方向の電圧を出力するために用いられ、
最後の段のシフトレジスタは、一段上のシフトレジスタの第２の出力ポートが出力する電圧を受け付け、且つ第１の出力ポートからその第２の出力ポートが出力する電圧と逆方向の電圧を出力するために用いられ、
一段上のシフトレジスタの第１の起動電圧信号のオフを制御した後、一段下のシフトレジスタの第１の起動電圧信号のオンを制御する、駆動回路。
【請求項１０】
表示装置であって、請求項９に記載の駆動回路を有する表示装置。
【発明の詳細な説明】
【技術分野】
【０００１】
本発明は、表示技術分野に関し、特にシフトレジスタ、駆動回路、表示装置に関する。
【背景技術】
【０００２】
伝統的なシフトレジスタの出力特性はシフトレジスタを構成するＴＦＴ極性と関係する。即ち、Ｎ型ＴＦＴシフトレジスタの作業区間は高電圧Ｖｇｈを出力し、Ｐ型ＴＦＴシフトレジスタの作業区間は低電圧Ｖｇｌを出力する。従来のシフトレジスタは同時に低電圧と高電圧を出力することはできない。
【０００３】
また、補償機能を有するＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ：アクティブマトリックス有機ＬＥＤパネル）の画素構造の回路において、電圧自体を起動電圧として起動しなければならないだけでなく、起動電圧と逆方向の電圧も起動電圧としなければならない。図１に示すＰ型ＴＦＴ補償型画素構造は５つの駆動信号を必要とし、ＤＡＴＡ（データ）信号１１とＶＤＤ（電源）信号１４はＳｏｕｒｃｅＩＣ（駆動回路基板）によって直接提供され、その他の３つの信号はシフトレジスタによって画素構造に入力され、このうち、ＧＡＴＥ（ゲート）信号１２とＲＥＳＥＴ（リセット）信号１３の起動電圧は低電圧であるが、ＥＭＩＳＳＩＯＮ（発光）信号１５の起動電圧は高電圧である。したがって、従来のシフトレジスタは低電圧であるＧＡＴＥ（ゲート）とＲＥＳＥＴ（リセット）信号及び高電圧であるＥＭＩＳＳＩＯＮ信号を同時に提供する目的を果たせない。
【発明の概要】
【課題を解決するための手段】
【０００４】
本発明の実施例は、シフトレジスタであって、受け付けた起動電圧を遅延して出力でき、遅延して出力する起動電圧と逆方向の逆方向電圧も同時に出力できるシフトレジスタを提供する。
【０００５】
本発明の実施例は、シフトレジスタであって、電圧シフトモジュールと、電圧逆方向モジュールと、補充電圧モジュールと、電圧シフト制御モジュールと、第１の出力ポートと、第２の出力ポートとを有し、電圧シフトモジュールは、第１の起動電圧信号の制御のもとで起動電圧と同じ方向の電圧を受け付け、第２の起動電圧信号の制御のもとで、受け付けた起動電圧と同じ方向の電圧を、前記第２の出力ポートから出力し、同時に電圧逆方向モジュールに出力し、電圧逆方向モジュールは、電圧シフトモジュールに接続され、受け付けた前記電圧シフトモジュールが出力した電圧と逆方向電圧源が提供する電圧の制御のもとで、起動電圧と逆方向の電圧を、前記第１の出力ポートから出力し、同時に補充電圧モジュールに出力し、第１の起動電圧信号と起動電圧源の提供する電圧、あるいは第３の起動電圧信号と起動電圧源が提供する電圧の制御のもとで、起動電圧と同じ方向の電圧を前記第１の出力ポートから出力し、同時に補充電圧モジュールに出力し、補充電圧モジュールは、電圧逆方向モジュールと電圧シフトモジュールとに接続され、受け付けた前記電圧逆方向モジュールが出力した電圧と逆方向電圧源が提供する電圧の制御のもとで、電圧逆方向モジュールが起動電圧と同じ方向の電圧を出力した場合、前記第２の出力ポートから前記起動電圧と逆方向の電圧を出力し、同時に電圧逆方向モジュールに出力し、電圧シフト制御モジュールは電圧シフトモジュールに接続され、第３の起動電圧信号と逆方向電圧源が提供する電圧の制御のもとで、電圧シフトモジュールのオフを制御する、シフトレジスタを提供する。
【０００６】
本発明の実施例は、更に、シフトレジスタが実現するシフト方法であって、前記シフトレジスタは、電圧シフトモジュールと、電圧逆方向モジュールと、補充電圧モジュールと、電圧シフト制御モジュールと、第１の出力ポートと、第２の出力ポートとを有し、当該方法は、電圧シフトモジュールは、第１の起動電圧の制御のもとで起動電圧と同じ方向の電圧を受け付け、第２の起動電圧の制御のもとで第２の出力ポートから起動電圧と同じ方向の電圧を出力し、電圧逆方向モジュールは、受け付けた電圧シフトモジュールが出力した電圧の制御のもとで、起動電圧と逆方向の電圧を、前記第１の出力ポートから出力し、第１の起動電圧と第３の起動電圧の制御のもとで、起動電圧と同じ方向の電圧を前記第１の出力ポートから出力し、補充電圧モジュールは、受け付けた前記電圧逆方向モジュールが出力した電圧の制御のもとで、電圧逆方向モジュールが起動電圧を出力した場合に、前記第２の出力ポートから前記起動電圧と逆方向の電圧を出力し、電圧シフト制御モジュールは、受け付けた第３の起動電圧の制御のもとで、電圧逆方向モジュールが起動電圧を出力した場合に、電圧シフトモジュールのオフを制御する、シフト方法を提供する。
【０００７】
本発明の実施例は、更に、駆動回路であって、第１段のシフトレジスタと、最後の段のシフトレジスタと、少なくとも一つの中間の段のシフトレジスタを有し、それぞれのシフトレジスタは上記のシフトレジスタであり、前記シフトレジスタ間はカスケード接続方式で接続され、一段上のシフトレジスタにおける第２の出力ポートは一段下のシフトレジスタの電圧シフトモジュールに接続され、第１段のシフトレジスタの電圧シフトモジュールは起動電圧と同じ方向の電圧を受け付け、第２の出力ポートから一段下のシフトレジスタの電圧シフトモジュールに電圧を出力し、第１の出力ポートから第２の出力ポートが出力する電圧と逆方向の電圧を出力し、それぞれの中間の段のシフトレジスタの電圧シフトモジュールは一段上のシフトレジスタの第２の出力ポートが出力する電圧を受け付け、第２の出力ポートから一段下のシフトレジスタの電圧シフトモジュールに電圧を出力し、且つ第１の出力ポートから第２の出力ポートが出力する電圧と逆方向の電圧を出力し、最後の段のシフトレジスタの電圧シフトモジュールは一段上のシフトレジスタの第２の出力ポートが出力する電圧を受け付け、且つ第１の出力ポートから第２の出力ポートが出力する電圧と逆方向の電圧を出力し、一段上のシフトレジスタの第１の起動電圧信号のオフを制御した後、一段下のシフトレジスタの第１の起動電圧信号のオンを制御する、駆動回路を提供する。
【０００８】
本発明の実施例は更に上記駆動回路を備える表示装置を提供する。
【０００９】
本発明の実施例のシフトレジスタは、一段下のシフトレジスタに起動電圧を提供すると同時に、起動電圧と逆方向の電圧を提供することによって、シフトレジスタに、一段下のシフトレジスタの遅延された同じ方向の起動電圧のみならず、遅延された起動電圧と逆方向の逆方向電圧を提供させるようにする。
【図面の簡単な説明】
【００１０】
【図１】Ｐ型ＴＦＴ補償型画素構造である。
【図２】本発明の実施例一における構造の模式図である。
【図３】本発明の具体的な実施例二における回路の構造の模式図である。
【図４】本発明の具体的な実施例三において、Ｎチャネル型ＴＦＴを採用する回路の構造の模式図である。
【図５】本発明の具体的な実施例三において、Ｎチャネル型ＴＦＴを採用する回路のシーケンス図である。
【図６】本発明の具体的な実施例四において、Ｐチャネル型ＴＦＴを採用する回路の構造の模式図である。
【図７】本発明の具体的な実施例四において、Ｐチャネル型ＴＦＴを採用する回路のシーケンス図である。
【図８】本発明の実施例における複数のシフトレジスタからなる駆動回路の構造の模式図である。
【図９】本発明の実施例における方法のフロー図である。
【発明を実施するための形態】
【００１１】
シフトレジスタに、受け付けた電圧信号が遅延した後の電圧信号を出力させるのみならず、同時に遅延した後の電圧信号と逆方向の電圧信号を出力させるために、本発明は逆方向出力を有するシフトレジスタを提供する。
【００１２】
以下に図面を用いて本発明の実施例における実施を説明する。本発明の実施例一は、図２に示すように、逆方向出力を有するシフトレジスタであって、電圧シフトモジュール２１と、電圧逆方向モジュール２２と、補充電圧モジュール２３と、電圧シフト制御モジュール２４と、電圧安定モジュール２５と、電圧安定制御モジュール２６と、第１の出力ポート３９ａと、第２の出力ポート３９ｂとを有する。
【００１３】
本実施例における第１の起動電圧信号、第２の起動電圧信号、第３の起動電圧信号はそれぞれ第１のクロック信号、第２のクロック信号、第３のクロック信号である。
【００１４】
本実施例における電圧シフトモジュール２１は、第１のクロック信号の制御のもとで、起動電圧と同じ方向の電圧信号を受け付け、第２のクロック信号の制御のもとで、受け付けた起動電圧と同じ方向の電圧信号を前記第２の出力ポートから出力し、同時に電圧安定モジュール２５に出力する。
【００１５】
電圧シフトモジュール２１が受け付ける電圧信号は外部のトリガ電圧信号であってもよく、カスケード方式を用いて接続される複数のシフトレジスタの組み合わせからなる駆動回路の場合の一段上のシフトレジスタが出力する電圧信号でもよい。第１のクロック信号が制御するときに限って電圧シフトモジュール２１は電圧信号を受け付けることができ、第２のクロック信号が制御するときに電圧シフトモジュール２１は第２の出力ポート３９ｂから受け付けた電圧信号を出力する。
【００１６】
電圧安定モジュール２５は、起動電圧源が提供する電圧の制御のもとで、前記電圧シフトモジュール２１が出力する電圧と同じ方向であり且つ安定した電圧を前記第２の出力ポート３９ｂから出力するために用いられる。電圧安定モジュール２５の入力端は、電圧シフトモジュール２１の出力ポートに接続され、電圧安定モジュール２５の出力ポートは電圧逆方向モジュール２２の入力端に接続される。電圧安定モジュール２５は出力する電圧が安定であり、且つ起動電圧と同じ方向の電圧であることを保証する。実際には、個別に電圧シフトモジュール２１が出力する電圧と同じ方向の電圧源を使って安定した同じ方向の電圧を提供してもよい。
【００１７】
電圧逆方向モジュール２２は、電圧安定モジュール２５に接続され、受け付けた電圧安定モジュール２５が出力する電圧信号と起動電圧源３４が提供する電圧制御のもとで、起動電圧と逆方向の電圧信号を前記第１の出力ポート３９ａから出力し、同時に補充電圧モジュール２３と電圧安定制御モジュール２６に出力し、第１のクロック信号と起動電圧源３４が提供する電圧、あるいは第３のクロック信号と起動電圧源３４が提供する電圧の制御のもとで、起動電圧と同じ方向の電圧を前記第１の出力ポート３９ａから出力し、同時に補充電圧モジュール２３と電圧安定制御モジュール２６に出力するために用いられる。
【００１８】
電圧逆方向モジュール２２は、電圧安定モジュール２５に接続される。電圧シフトモジュール２１が出力する起動電圧を電圧安定モジュール２５に入力し、電圧安定モジュール２５が出力する電圧を電圧逆方向モジュール２２に入力する。電圧逆方向モジュール２２は電圧安定モジュール２５が出力する起動電圧と同じ方向の電圧、及び起動電圧源３４が提供する電圧を受け付けると同時に、起動電圧と逆方向の電圧を出力し、第１のクロック信号と起動電圧源３４が提供する電圧、あるいは第３のクロック信号と起動電圧源３４が提供する電圧の制御のもとで、起動電圧と同じ方向の電圧を前記第１の出力ポート３９ａから出力し、同時に補充電圧モジュール２３と電圧安定制御モジュール２６に出力する。
【００１９】
実際には、電圧シフトモジュール２１と電圧逆方向モジュール２２は直接接続されてもよい。それは、電圧安定モジュール２５は、電圧シフトモジュール２１が出力する電圧を更に安定させるために、電圧シフトモジュール２１と電圧逆方向モジュールの間に電圧安定モジュール２５を付け加えるからである。しかし、電圧安定モジュール２５がなくても、電圧シフトモジュール２１と電圧逆方向モジュール２２の機能は影響されない。電圧シフトモジュール２１は依然として受け付けた電圧をシフトして出力でき、電圧逆方向モジュールは電圧シフトモジュール２１が出力した電圧を受け付け、逆方向の電圧を出力できる。
【００２０】
補充電圧モジュール２３は、電圧逆方向モジュール２２に接続され、受け付けた前記電圧逆方向モジュール２２が出力した電圧と逆方向電圧源３５が提供する電圧の制御のもとで、電圧逆方向モジュールが起動電圧と同じ方向の電圧を出力したときに、前記第２の出力ポートから前記起動電圧と逆方向の電圧を出力し、同時に電圧逆方向モジュール２２に出力するために用いられる。
【００２１】
補充電圧モジュール２３は、電圧逆方向モジュール２２が出力する電圧の制御を受け、電圧シフトモジュールが出力しないときに起動電圧と逆方向の電圧を第２の出力ポート３９ｂから出力する。
【００２２】
電圧シフト制御モジュール２４は、電圧シフトモジュール２１に接続され、第３のクロック信号と逆方向電圧源３５が提供する電圧の制御のもとで、電圧シフトモジュール２１のオフを制御するために用いられる。
【００２３】
電圧シフト制御モジュール２４は、第３のクロック信号の制御を受け、続いて制御電圧を電圧シフトモジュール２１に出力し、電圧シフト制御モジュール２４は電圧逆方向モジュール２２が起動電圧と同じ方向の電圧を出力するときに、電圧シフトモジュール２１をオフにする。
【００２４】
電圧安定制御モジュール２６は、受け付けた前記電圧逆方向モジュールが第１の出力ポートから出力した電圧と逆方向電圧源が提供する電圧の制御のもとで、電圧逆方向モジュールが起動電圧と同じ方向の電圧を出力するときに、電圧安定モジュールをオフにするために用いられる。
【００２５】
電圧安定モジュール２５がなければ、電圧安定制御モジュール２６も必要ない。
【００２６】
本実施例において、前記第１のクロック信号がオフになった後、第２のクロック信号はオンになり、第２のクロック信号がオフになった後、第３のクロック信号はオンになり、第３のクロック信号がオフになった後、第１のクロック信号はオンになる、といった具合に類推する。
【００２７】
電圧シフトモジュール２１は、第１のクロック信号の制御のもとで起動電圧と同じ方向の電圧を受け付け、第２のクロック信号の制御のもとで起動電圧と同じ方向の電圧を第２の出力ポート３９ｂに出力し、第１のクロック信号と第３のクロック信号の制御のもとでは電圧信号を出力しない。電圧逆方向モジュール２２は第１のクロック信号と第３のクロック信号の制御のもとで起動電圧と同じ方向の電圧を出力し、且つ第１の出力ポート３９ａから出力し、第２のクロック信号の制御のもとで電圧逆方向モジュール２２は起動電圧と逆方向の電圧を第１の出力ポート３９ａに出力する。第１の出力ポート３９ａが起動電圧と逆方向の電圧を出力したとき、第１の出力ポート３９ａが出力する電圧は、補充電圧モジュール２３が第１の出力ポート３９ａの出力する電圧と逆方向の電圧を出力し、且つ第２の出力ポート３９ｂから出力するように制御する。以上により、第２の出力ポート３９ｂから出力される起動電圧は電圧シフトモジュール２１が受け付ける起動電圧と比べ、一つのクロック信号分遅延し、第１の出力ポート３９ａから出力される電圧と第２の出力ポート３９ｂから出力される電圧は完全に逆方向となる。このシフトレジスタは、受け付けた電圧信号を遅延して出力し、同時に、遅延して出力した電圧信号と逆方向の電圧信号を出力する目的を果たす。
【００２８】
本実施例におけるシフトレジスタは、受け付けた電圧信号を遅延して出力することができ、且つ同時に、遅延して出力した電圧信号と逆方向の逆方向電圧を提供する。
【００２９】
実施例二
図３は本発明の具体的な回路構造の模式図を示している。
【００３０】
本実施例において、ＣＬＫ１、ＣＬＫ２、ＣＬＫ３によって起動電圧信号を提供し、起動電圧源３４と逆方向電圧源３５はそれぞれ起動電圧と同じ方向の電圧と起動電圧と逆方向の電圧を提供する。このうち、ＣＬＫ１は１／３周期ごとに一つの長さ１／３周期の電圧シフトモジュール起動電圧が出現し、ＣＬＫ２は１／３周期ごとに一つの長さ１／３周期の電圧シフトモジュール起動電圧が出現し、且つ起動電圧の出現は第１のクロック信号の起動電圧より１／３周期遅れて出現し、ＣＬＫ３は１／３周期ごとに一つの長さ１／３周期の電圧シフトモジュール起動電圧が出現し、且つ起動電圧は第２のクロック信号ＣＬＫ２の起動電圧より１／３周期遅れる。
【００３１】
本実施例における電圧シフトモジュールは、第１のスイッチ素子３６ａと、第１のコンデンサ３７ａと、第２のスイッチ素子３６ｂとを有する。
【００３２】
第１のスイッチ素子３６ａは、ＣＬＫ１の制御のもとでスイッチ操作を行い、受け付けた起動電圧と同じ方向の電圧を、充電電圧として第１のコンデンサ３７ａに出力し、制御電圧として第２のスイッチ素子３６ｂに出力するように制御する。
【００３３】
第１のスイッチ素子３６ａの制御端はＣＬＫ１を受け付け、入力端は電圧信号を受け付け、出力端は第２のスイッチ素子３６ｂの制御端に接続される。入力端が受け付ける電圧信号は外部のトリガ電圧信号であってもよく、カスケード方式を用いて接続される複数のシフトレジスタの組み合わせからなる駆動回路の場合の一段上のシフトレジスタが出力する電圧信号でもよい。
【００３４】
第１のコンデンサ３７ａは、前記第１のスイッチ素子３６ａがオンし、起動電圧と同じ方向の電圧を受け付けるとき、一つの駆動制御電圧を第２のスイッチ素子３６ｂに提供するように充電を行う
【００３５】
第１のコンデンサ３７ａの一端は第２のスイッチ素子３６ｂの制御端に接続され、他端は第２のスイッチ素子３６ｂの出力端に接続される。第１のスイッチ素子３６ａがオンになったときに、第１のコンデンサ３７ａは充電を開始し、第１のスイッチ素子３６ａがオフになったときは、第１のコンデンサ３７ａは第２のスイッチ素子３６ｂに電圧を提供する。
【００３６】
第２のスイッチ素子３６ｂは、第１のスイッチ素子３６ａが出力する制御電圧、第１のコンデンサ３７ａが提供する駆動制御電圧、あるいは第１の制御素子３８ａが出力する制御電圧の制御のもとで、スイッチ操作を行うことによって、ＣＬＫ２を制御電圧として第３のスイッチ素子３６ｃに出力するように制御する。
【００３７】
第２のスイッチ素子３６ｂの制御端は第１のスイッチ素子３６ａの出力端に接続され、入力端はＣＬＫ２を受け付け、出力端は第３のスイッチ素子３６ｃの制御端に接続される。
【００３８】
前記電圧逆方向モジュールは第４のスイッチ素子３６ｄと、第５のスイッチ素子３６ｅと、第２のコンデンサ３７ｂと、第６のスイッチ素子３６ｆと、第７のスイッチ素子３６ｇとを有する。
【００３９】
第４のスイッチ素子３６ｄは、第３のスイッチ素子３６ｃが出力する制御電圧の制御のもとでスイッチ操作を行い、逆方向電圧源３５が提供する電圧を第１の出力ポート３９ａから出力するように制御し、前記逆方向電圧源は該シフトレジスタの起動電圧と逆方向の電圧であり、前記第１の出力ポート３９ａは本段のシフトレジスタの出力に用いられることができる。
【００４０】
第４のスイッチ素子３６ｄの制御端は第３のスイッチ素子３６ｃの出力端に接続され、入力端は逆方向電圧源３５が提供する電圧を受け付け、出力端は第１の出力ポート３９ａに接続される。
【００４１】
第１のスイッチ素子ないし第４のスイッチ素子が順次オンになり、起動電圧と同じ方向の起動電圧を起動電圧として一段後のシフトレジスタに出力するだけでなく、本段にも起動電圧と逆方向の電圧を提供する。
【００４２】
第５のスイッチ素子３６ｅは、ＣＬＫ１の制御のもとでスイッチ操作を行い、起動電圧源３４が提供する電圧を充電電圧として第２のコンデンサ３７ｂに出力し、制御電圧として第６のスイッチ素子３６ｆに出力するように制御する。
【００４３】
第５のスイッチ素子３６ｅの制御端はＣＬＫ１を受け付け、入力端は起動電圧源３４が提供する電圧を受け付け、入力端は第６のスイッチ素子３６ｆの制御端に接続される。
【００４４】
第２のコンデンサ３７ｂは、第５のスイッチ素子３６ｅがオンのときに起動電圧源３４が提供する電圧を受け付け、第４のスイッチ素子３６ｄがオンのときに第６のスイッチ素子３６ｆをオフにする。
【００４５】
第２のコンデンサ３７ｂの一端は第６のスイッチ素子３６ｆの制御端に接続され、他端は第６のスイッチ素子３６ｆの出力端に接続される。
【００４６】
第６のスイッチ素子３６ｆは、第５のスイッチ素子３６ｅ、第７のスイッチ素子３６ｇが出力する制御電圧の制御のもとでスイッチ操作を行い、起動電圧源３４が第１の出力ポート３９ａから出力するように制御する。
【００４７】
第６のスイッチ素子３６ｆの制御端は第５のスイッチ素子３６ｅの出力端に接続され、入力端は起動電圧源３４が提供する電圧を受け付け、出力端は第１の出力ポート３９ａに接続される。
【００４８】
第７のスイッチ素子３６ｇは、ＣＬＫ３の制御のもとでスイッチ操作を行い、起動電圧源３４が提供する電圧を制御電圧として第６のスイッチ素子３６ｆに出力するように制御し、起動電圧源３４が提供する電圧を第２のコンデンサ３７ｂに出力して充電させる。
【００４９】
第７のスイッチ素子３６ｇの制御端はＣＬＫ３を受け付け、入力端は起動電圧源３４に接続され、出力端は第６のスイッチ素子３６ｆの制御端に接続される。
【００５０】
前記補充電圧モジュールは第３の制御素子３８ｃとを有する。
【００５１】
第３の制御素子３８ｃは、第１の出力ポート３９ａが出力する電圧の制御のもとでスイッチ操作を行い、逆方向電圧源３５がオフ電圧として第４のスイッチ素子３６ｄに電圧信号を出力するように制御し、且つ逆方向電圧源３５が出力した電圧信号を第２の出力ポート３９ｂから出力する。
【００５２】
第３の制御素子３８ｃの制御端は第１の出力端３９ａに接続され、入力端は逆方向電圧源３５が出力する電圧信号を受け付け、出力端は第４のスイッチ素子３６ｄの制御端に接続される。
【００５３】
第５のスイッチ素子ないし第７のスイッチ素子は、第２の制御素子と第３の制御素子がオンになった後に第３のスイッチ素子、第４のスイッチ素子及び第２の出力ポートの出力を制御するように、第１の出力ポートに起動電圧を提供する。
【００５４】
前記電圧シフト制御モジュールは第１の制御素子３８ａとを有する。
【００５５】
第１の制御素子３８ａは、ＣＬＫ３の制御のもとでスイッチ操作を行い、第１のコンデンサ３７ａが逆方向電圧源３５と接続された後に放電するように制御する。
【００５６】
第１の制御素子３８ａの制御端はＣＬＫ３を受け付け、入力端は逆方向電圧源３５に接続され、出力端は第２のスイッチ素子３６の制御端に接続される。
【００５７】
前記電圧安定モジュールは第３のスイッチ素子３６ｃを有する。
【００５８】
第３のスイッチ素子３６ｃは、第２のスイッチ素子３６ｂが出力する制御電圧或は第２の制御素子３８ｂが出力する制御電圧の制御のもとでスイッチ操作を行い、起動電圧源３４が制御電圧として第４のスイッチ素子３６ｄに出力するように制御し、起動電圧源が第２の出力ポート３９ｂから出力するように制御し、前記第２の出力ポート３６ｂは一段下のシフトレジスタに起動電圧を提供するために用いられ、前記起動電圧源は当該シフトレジスタの起動電圧と同じ電圧である。
【００５９】
第３のスイッチ素子３６ｃの制御端は第２のスイッチ素子３６ｂの出力端に接続され、入力端は起動電圧源３４を受け付け、出力端は第４のスイッチ素子３６ｄの制御端に接続される。
【００６０】
前記電圧安定制御モジュールは第２の制御素子３８ｂとを有する。
【００６１】
第２の制御素子３８ｂの出力端は第３のスイッチ素子３６ｃの制御端に接続される。
【００６２】
第２の制御素子３８ｂがオンになった後、第３のスイッチ素子３６ｃをオフにする。
【００６３】
第２の出力ポート３９ｂが出力するのは受け付けた電圧信号より遅延した後の電圧信号であり、当該信号は複数のシフトレジスタからなる駆動回路において、一段下のシフトレジスタに入力する信号としてもよい。また、第１の出力ポート３９ａが出力するのは第２の出力ポート３９ｂが出力する電圧信号と逆方向の電圧信号であり、同時に逆方向電圧信号による駆動が必要な回路に提供するために用いられる。
【００６４】
本実施例の作業シーケンスフローは以下の通りである。ＣＬＫ１が起動電圧と同じ方向の電圧を出力した場合、第１のスイッチ素子３６ａはオンになり、第１のスイッチ素子３６ａが受け付けた起動電圧と同じ方向の電圧は第２のスイッチ素子３６ｂに出力され、且つ第１のコンデンサ３７ａに出力され充電する。
【００６５】
第５のスイッチ素子３６ｅはＣＬＫ１が出力した起動電圧と同じ方向の電圧の制御のもとでオンになり、起動電圧源３４は第５のスイッチ素子３６ｅを通じて第６のスイッチ素子３６ｆに出力し、且つ第２のコンデンサ３７ｂを充電し、第６のスイッチ素子３６ｆは起動電圧源の制御のもとでオンになり、起動電圧源３４は第６のスイッチ素子３６ｆを通じて第１の出力ポート３９ａから起動電圧を出力する。
【００６６】
第２の制御素子３８ｂと第３の制御素子３８ｃは第１の出力ポート３９ａが出力する起動電圧の制御のもとでオンになり、逆方向電圧源３５は第２の制御素子３８ｂと第３の制御素子３８ｃを通じて第３のスイッチ素子３６ｃと第４のスイッチ素子３６ｄにそれぞれ電圧信号を出力し、第３のスイッチ素子３６ｃと第４のスイッチ素子３６ｄをオフにし、このとき第２の出力ポート３９ｂは逆方向電圧源３５が提供する電圧信号を出力する。
【００６７】
ＣＬＫ１が出力する電圧を起動電圧と逆方向の電圧に転換し、第１のコンデンサ３７ａは格納した電圧を第２のスイッチ素子３６ｂに出力して、オンにする。
【００６８】
このとき、ＣＬＫ２が出力した起動電圧と同じ方向の電圧はオンになった第２のスイッチ素子３６ｂを通じて第３のスイッチ素子３６ｃに出力され、第３のスイッチ素子３６ｃはＣＬＫ２が出力する起動電圧の制御のもとでオンになり、起動電圧源３４は第３のスイッチ素子３６ｃを介して第２の出力ポート３９ｂから起動電圧を出力するし、起動電圧源３４は第３のスイッチ素子３６ｃを通じて電圧信号を第４のスイッチ素子３６ｄに出力する。
【００６９】
第４のスイッチ素子３６ｄがオンになった後、逆方向電圧源３５は第４のスイッチ素子３６ｄを介して第１の出力ポート３９ａから電圧信号を出力する。
【００７０】
第２のコンデンサ３７ｂは第６のスイッチ素子３６ｆにブートストラップファンクションを提供し、第６のスイッチ素子３６ｆをオフにさせる。
【００７１】
ＣＬＫ１が起動電圧と同じ方向の電圧であるとき、第５のスイッチ素子３６ｅがオンになり、さらに第６のスイッチ素子３６ｆに起動電圧源３４を提供し、ＣＬＫ２が起動電圧と同じ方向の電圧であるとき、第５のスイッチ素子３６ｅがオフになり、第６のスイッチ素子をＣＬＫ２が起動電圧であるときにオフにさせるために、コンデンサの両端を第６のスイッチ素子の制御端と出力端に接続する必要がある。それは、ＣＬＫ１が起動電圧と同じ方向の電圧であるとき、起動電圧と同じ方向の電圧はオンである第５のスイッチ素子を通じて第６のスイッチ素子の制御端に出力されるからである。そしてＣＬＫ２が起動電圧と同じ方向の電圧であるとき、第５のスイッチ素子がオフになり、第６のスイッチ素子の制御端はフローティングし、このとき、ＣＬＫ２が起動電圧と同じ方向の電圧であるとき、第１の出力ポートの出力端は起動電圧と逆方向の電圧となるので、第６のスイッチ素子の制御端と出力端の電位差は第６スイッチ素子をオンにさせ、第１の出力ポートにも起動電圧と同じ方向の電圧を出力させて電圧の混乱を招いてしまう。したがって、第６のスイッチ素子の制御端の電圧を制御し、第６のスイッチ素子をオフの状態にするコンデンサが必要となる。したがって、第２のコンデンサ３７ｂを付け加えることによって、第２のコンデンサ３７ｂのブートストラップファンクションにより第６のスイッチ素子３６ｆの制御端電圧を起動電圧源の電圧から逆方向電圧源の電圧に転換し、次のクロック信号の起動電圧信号を受け付けるまで第６のスイッチ素子３６ｆをオフの状態にさせる。
【００７２】
第１の出力ポート３９ａが出力する起動電圧と逆方向の電圧は第２の制御素子３８ｂと第３の制御素子３８ｃをもオフにする。
【００７３】
ＣＬＫ２が出力する電圧信号が起動電圧と逆方向の電圧であるとき、ＣＬＫ３は起動電圧と同じ方向の電圧を出力し、第７スイッチ素子３６ｇと第１の制御素子３８ａをオンにする。第７のスイッチ素子３６ｇがオンになった後、起動電圧源３４は第６のスイッチ素子３６ｆに電圧信号を出力し、第６のスイッチ素子３６ｆをオンにする。第６のスイッチ素子３６ｆがオンになった後、起動電圧源３４は第１の出力ポート３９ａから電圧信号を出力し、起動電圧源３４は第２の制御素子３８ｂと第３の制御素子３８ｃに電圧信号を出力する。第２の制御素子３８ｂと第３の制御素子３８ｃがオンになった後、逆方向電圧源３５は第３のスイッチ素子３６ｃ、第２の出力ポート３９ｂ、第４のスイッチ素子３６ｄに出力する。第３のスイッチ素子３６ｃと第４のスイッチ素子３６ｄはオフになり、第２の出力ポート３９ｂは逆方向電圧を出力する。
【００７４】
本発明が提供するシフトレジスタは、第２の出力ポートからシフトされた電圧信号を出力し、且つ第１の出力ポートから第２の出力ポートが出力する電圧信号と逆方向の信号を出力することができ、逆方向の電圧信号を同時に必要とする需要に応えることができる。したがって、本発明の提供するシフトレジスタによれば、一段下のシフトレジスタに受け付けた起動電圧を遅延させた後の電圧信号を出力するだけでなく、本段に、一段下のシフトレジスタに出力する信号と逆方向の電圧信号を出力することもできる。
【００７５】
本実施におけるＣＬＫ１、ＣＬＫ２，ＣＬＫ３の起動電圧の継続時間は一周期の１／３に限らず、起動電圧の継続時間は必要に応じて調整することができ、ＣＬＫ１、ＣＬＫ２及びＣＬＫ３の起動電圧の出現が時間上つながって循環するものであればよい。即ち、ＣＬＫ１の起動電圧がオフになったときにＣＬＫ２の起動電圧がオンになり、ＣＬＫ２の起動電圧がオフになったときにＣＬＫ３の起動電圧がオンになり、ＣＬＫ３の起動電圧がオフになったときにＣＬＫ１の起動電圧がオンになればよい。
【００７６】
実施例三
本発明のスイッチ素子と制御素子は電界効果トランジスタ、トライオード、薄膜トランジスタのいずれか又はいくつかの組み合わせであってもよい。本実施例において、Ｎチャネル型薄膜トランジスタをスイッチ素子と制御素子の手段として採用し、回路構造は図３と図４に示すとおりである。
【００７７】
本実施例は三つのクロック信号、高電圧電源と低電圧電源によってシフトレジスタにおける素子のオンとオフを制御する。本実施例が採用するのはＮチャネル型薄膜トランジスタであるため、本実施例の起動電圧源は高電圧であり、逆方向電圧源は低電圧である。本実施例において、三つのクロック信号は以下のものが含まれる。ＣＬＫ１は１／３周期ごとに一つの長さ１／３周期の電圧シフトモジュール起動電圧が出現し、ＣＬＫ２は１／３周期ごとに一つの長さ１／３周期の電圧シフトモジュール起動電圧が出現し、且つ起動電圧の出現はＣＬＫ１の起動電圧より１／３周期遅れて出現し、ＣＬＫ３は１／３周期ごとに一つの長さ１／３周期の電圧シフトモジュール起動電圧が出現し、且つ起動電圧はＣＬＫ２の起動電圧より１／３周期遅れて出現し、また、高電圧源Ｖｇｈと低電圧源Ｖｇｌは、それぞれ起動電圧と同じ方向の電圧と起動電圧と逆方向の電圧を提供する。
【００７８】
本実施例において、第１のスイッチ素子３６ａは、一つの薄膜トランジスタＭ１を有する。当該薄膜トランジスタはＣＬＫ１を受け付ける一つのゲート極と、起動電圧と同じ方向の電圧を受け付ける一つのドレイン極と、薄膜トランジスタＭ２のゲート極に接続される一つのソース極とを有する。Ｍ１はＣＬＫ１の制御のもとでスイッチ操作を行い、受け付けた電圧信号を充電電圧として第１のコンデンサＣ１（３７ａ）に出力するように制御し、Ｍ２のオンを制御する。
【００７９】
第２のスイッチ素子３６ｂは一つの薄膜トランジスタＭ２を有する。当該薄膜トランジスタは、薄膜トランジスタＭ１のソース極に接続される一つのゲート極と、ＣＬＫ２を受け付ける一つのドレイン極と、薄膜トランジスタＭ３のゲート極に接続される一つのソース極とを有する。Ｍ２はＭ１が出力する制御電圧、第１のコンデンサＣ１が提供する駆動制御電圧あるいは薄膜トランジスタＭ８が出力する制御電圧の制御のもとでオンまたはオフになり、ＣＬＫ２を制御電圧として薄膜トランジスタＭ３に出力するように制御する。
【００８０】
第１のコンデンサＣ１（３７ａ）はＭ１がオンになって起動電圧信号を付けつけたとき、Ｍ２に一つの駆動制御電圧を提供するように充電を行う。
【００８１】
第１のコンデンサＣ１の一端はＭ２のゲート極に接続され、他端はＭ２のソース極に接続される。
【００８２】
第３のスイッチ素子３６ｃは一つの薄膜トランジスタＭ３を有する。当該薄膜トランジスタは、薄膜トランジスタＭ２のソース極に接続される一つのゲート極と、Ｖｇｈを受け付ける一つのドレイン極と、薄膜トランジスタＭ４のゲート極に接続され、且つ第２の出力ポート３９ｂに接続される一つのソース極とを有する。Ｍ３はＭ２が出力する制御電圧あるいは薄膜トランジスタＭ９が出力する制御電圧の制御のもとでスイッチ操作を行い、Ｖｈｇを制御電圧として薄膜トランジスタＭ４に出力し、同時に第２出力ポート３９ｂに出力するように制御する。
【００８３】
第４のスイッチ素子３６ｄは一つの薄膜トランジスタＭ４を有する。当該薄膜トランジスタは、薄膜トランジスタＭ３のソース極に接続される一つのゲート極と、第１の出力ポート３９ｂに接続される一つのドレイン極と、Ｖｇｌを受け付ける一つのソース極とを有する。Ｍ４はＭ３のソース極が出力する制御電圧の制御のもとでスイッチ操作を行い、Ｖｇｌを第１の出力ポート３９ａから出力するように制御し、前記第１の出力ポートは本段のシフトレジスタの出力として用いてもよい。薄膜トランジスタＭ１０のドレイン極はＭ４のゲート極に接続される。
【００８４】
Ｍ１−Ｍ４が順次オンになることで、受け付けた高電圧を遅延して一段下のシフトレジスタに出力することができる。
【００８５】
第５のスイッチ素子３６ｅは一つの薄膜トランジスタＭ５を有する。当該薄膜トランジスタは、ＣＬＫ１に接続される一つのゲート極と、Ｖｇｈを受け付ける一つのドレイン極と、薄膜トランジスタＭ６のゲート極に接続される一つのソース極とを有する。Ｍ５はＣＬＫ１の制御のもとでスイッチ操作を行い、Ｖｇｈを充電電圧として第２のコンデンサＣ２に出力し、制御電圧として薄膜トランジスタＭ６に出力するように制御する。
【００８６】
第２のコンデンサＣ２（３７ｂ）はＭ４がオンになってＶｇｌを受け付けたときにＭ６をオフにする。
【００８７】
第２のコンデンサＣ２の一端はＭ６のゲート極に接続され、他端はＭ６のソース極に接続される。
【００８８】
第６のスイッチ素子３６ｆは一つの薄膜トランジスタＭ６を有する。当該薄膜トランジスタは、薄膜トランジスタＭ５のソース極に接続される一つのゲート極と、Ｖｇｈを受け付ける一つのドレイン極と、第１の出力ポート３９ａに接続される一つのソース極とを有する。Ｍ６は、Ｍ５、薄膜トランジスタＭ７が出力する制御電圧または制御のもとでスイッチ操作を行い、Ｖｇｈを第１の出力ポート３９ａから出力するように制御する。
【００８９】
第７のスイッチ素子３６ｇは一つの薄膜トランジスタＭ７を有し、当該薄膜トランジスタは、ＣＬＫ３を受け付ける一つのゲート極と、Ｖｇｈを受け付ける一つのドレイン極と、薄膜トランジスタＭ６のゲート極に接続される一つのソース極とを有する。Ｍ７はＣＬＫ３の制御のもとでスイッチ操作を行い、Ｖｇｈを制御電圧としてＭ６に出力するように制御する。
【００９０】
第１の制御素子３８ａは一つの薄膜トランジスタＭ８を有し、当該薄膜トランジスタは、ＣＬＫ３を受け付ける一つのゲート極と、薄膜トランジスタＭ２のゲート極に接続される一つのドレイン極と、Ｖｇｌを受け付ける一つのソース極とを有する。Ｍ８はＣＬＫ３の制御のもとでスイッチ操作を行い、第１のコンデンサＣ１がＶｇｌに接続された後に放電するように制御する。
【００９１】
第２の制御素子３８ｂは一つの薄膜トランジスタＭ９を有し、当該薄膜トランジスタは、第１の出力ポート３９ａに接続される一つのゲート極と、薄膜トランジスタＭ３のゲート極に接続される一つのドレイン極と、Ｖｇｌを受け付ける一つのソース極とを有する。第１の出力ポート３９ａが出力する電圧の制御のもとでスイッチ操作を行い、Ｖｇｌをオフ電圧としてＭ３に出力するように制御する。
【００９２】
第３の制御素子３８ｃは一つの薄膜トランジスタＭ１０を有し、当該薄膜トランジスタは、第１の出力ポート３９ａに接続される一つのゲート極と、Ｍ３のソース極に接続される一つのドレイン極と、Ｖｇｌを受け付ける一つのソース極とを有する。第１の出力ポート３９ａが出力する電圧の制御のもとでスイッチ操作を行い、Ｖｇｌをオフ電圧としてＭ４に出力し、且つＶｇｌを第２の出力ポート３９ｂから出力するように制御する。
【００９３】
Ｍ５ないしＭ７は、Ｍ９とＭ１０がオンになった後にＭ３、Ｍ４と第２の出力ポート３９ｂの出力を制御するよう、第１の出力ポート３９ａに高電圧を提供する。
【００９４】
Ｍ８はオンになった後に第１のコンデンサＣ１を放電し、Ｍ２をオフにする。
【００９５】
第２の出力ポート３９ｂが出力するのは受け付けた電圧信号を遅延させた後の電圧信号であり、当該信号は複数のシフトレジスタが組み合わさった駆動回路において一段下のシフトレジスタに入力する信号とすることができ、第１の出力ポート３９ａが出力するのは第２の出力ポート３９ｂが出力する電圧信号と逆方向の電圧信号であり、同時に逆方向電圧信号による駆動が必要な回路に提供するために用いられる。
【００９６】
本実施例の作業フローは以下のとおりであり、シーケンス図は図５に示すとおりである。ＣＬＫ１、ＣＬＫ２、ＣＬＫ３、起動電圧Ｖｇｈ、逆方向電圧Ｖｇｌは入力信号であり、第１の出力３９ａと第２の出力３９ｂはシフトレジスタの二つの出力ポートが出力する電圧信号である。
【００９７】
Ｍ１はＣＬＫ１の高電圧信号の制御のもとでオンになり、受け付けた高電圧をＭ２に出力し第１のコンデンサＣ１を充電する。Ｍ５はＣＬＫ１の高電圧信号の制御のもとでオンになり、高電圧をＭ６に出力し第２のコンデンサＣ２を充電する。Ｍ６はＣＬＫ１の高電圧信号の制御のもとでオンになり、高電圧を第１の出力ポート３９ａから出力する。Ｍ９、Ｍ１０は第１の出力ポートが出力する高電圧のもとでオンになり、低電圧をＭ３、Ｍ４に出力し、Ｍ３、Ｍ４をオフにする。低電圧はオンになったＭ１０を通じて第２の出力ポート３９ｂから出力される。
【００９８】
ＣＬＫ２は高電圧を出力し、同時にＣＬＫ１は低電圧に下がる。Ｍ２は第１のコンデンサＣ１の充電の作用のもとでオンになり、ＣＬＫ２の高電圧はＭ２を通じてＭ３に出力される。Ｍ３がオンになった後、高電圧を第２の出力ポート３９ｂとＭ４に出力する。Ｍ４は高電圧の制御のもとでオンになり、低電圧はＭ４を通じて第１の出力ポート３９ａから出力される。ＣＬＫ２が起動電圧であるとき、Ｍ６の出力端の電圧はＶｇｌであり、Ｍ６の制御端と出力端の電位差によってＭ６はオンになり、Ｍ６がオンになった後に高電圧も第１の出力ポート３９ａから出力され、このとき、第１の出力ポート３９ａは混乱状態になる。したがって、第２のコンデンサＣ２を付け加えることによって、ＣＬＫ２が起動電圧に転換されたとき、第２のコンデンサＣ２のブートストラップファンクションによりＭ６の制御端の電圧を高電圧から低電圧に転換し、次の高電圧信号を受け付けるまでＭ６をオフの状態にする。Ｍ９、Ｍ１０は第１の出力ポートが出力した低電圧の制御のもとでオフになる。
【００９９】
ＣＬＫ３は高電圧を出力し、ＣＬＫ２は低電圧に下がる。Ｍ７はＣＬＫ３の制御もとでオンになり、高電圧をＭ６に出力し、Ｍ６はオンになった後に高電圧を第１の出力ポート３９ａから出力する。Ｍ９、Ｍ１０は第１の出力ポートが出力する高電圧の制御のもとでオンになり、低電圧をＭ３、第２の出力ポート３９ｂとＭ４に出力し、Ｍ３、Ｍ４がオフになる。Ｍ８は第３のクロック信号の制御のもとでオンになり、低電圧を第１のコンデンサＣ１に出力し、放電させる。
【０１００】
本実施例におけるＣＬＫ１、ＣＬＫ２とＣＬＫ３の起動電圧の継続時間は一周期の１／３に限らず、起動電圧の継続時間は必要に応じて調整することができ、ＣＬＫ１、ＣＬＫ２及びＣＬＫ３の起動電圧の出現が時間上つながって循環するものであればよい。即ち、ＣＬＫ１の起動電圧がオフになったときにＣＬＫ２の起動電圧がオンになり、ＣＬＫ２の起動電圧がオフになったときにＣＬＫ３の起動電圧がオンになり、ＣＬＫ３の起動電圧がオフになったときにＣＬＫ１の起動電圧がオンになればよい。
【０１０１】
実施例四
本発明におけるスイッチ素子と制御素子は電界効果トランジスタ、トライオード、薄膜トランジスタのいずれか又はいくつかの組み合わせであってもよい。本実施例において、Ｐチャネル型薄膜トランジスタをスイッチ素子と制御素子の手段として採用し、回路構造は図３と図６に示すとおりである。
【０１０２】
本実施例は三つのクロック信号、高電圧電源と低電圧電源によってシフトレジスタにおける素子のオンとオフを制御する。本実施例が採用するのはＰチャネル型薄膜トランジスタであるため、本実施例の起動電圧源は低電圧であり、逆方向電圧源は高電圧である。本実施例において、三つのクロック信号には以下のものが含まれる。ＣＬＫ１は１／３周期ごとに一つの長さ１／３周期の電圧シフトモジュール起動電圧が出現し、ＣＬＫ２は１／３周期ごとに一つの長さ１／３周期の電圧シフトモジュール起動電圧が出現し、且つ起動電圧の出現は第１のクロック信号の起動電圧より１／３周期遅れて出現し、ＣＬＫ３は１／３周期ごとに一つの長さ１／３周期の電圧シフトモジュール起動電圧が出現し、且つ起動電圧はＣＬＫ２の起動電圧より１／３周期遅れて出現し、また、高電圧源Ｖｇｈと低電圧源Ｖｇｌは、それぞれ起動電圧と同じ方向の電圧と起動電圧と逆方向の電圧を提供する。
【０１０３】
当該シフトレジスタは以下のものを有する。
【０１０４】
第１の出力素子３６ａは、一つの薄膜トランジスタＭ１を有する。当該薄膜トランジスタはＣＬＫ１を受け付ける一つのゲート極と、起動電圧と同じ方向の電圧即ち本実施例におけるＶｇｌを受け付ける一つのドレイン極と、薄膜トランジスタＭ２のゲート極に接続される一つのソース極とを有する。Ｍ１はＣＬＫ１の制御のもとでスイッチ操作を行い、受け付けた電圧を充電電圧として第１のコンデンサＣ１に出力するように制御し、Ｍ２のオンを制御する。
【０１０５】
第２のスイッチ素子３６ｂは一つの薄膜トランジスタＭ２を有する。当該薄膜トランジスタは、薄膜トランジスタＭ１のソース極に接続される一つのゲート極と、ＣＬＫ２を受け付ける一つのドレイン極と、薄膜トランジスタＭ３のゲート極に接続される一つのソース極とを有する。Ｍ２はＭ１が出力する制御電圧、第１のコンデンサＣ１が提供する駆動制御電圧あるいは薄膜トランジスタＭ８が出力する制御電圧の制御のもとでオンまたはオフになり、ＣＬＫ２を制御電圧として薄膜トランジスタＭ３に出力するように制御する。
【０１０６】
第１のコンデンサＣ１（３７ａ）はＭ１がオンになって起動信号を付けつけたとき、Ｍ２に一つの駆動制御電圧を提供するように充電を行う。
【０１０７】
第１のコンデンサＣ１の一端はＭ２のゲート極に接続され、他端はＭ２のソース極に接続される。
【０１０８】
第３のスイッチ素子３６ｃは一つの薄膜トランジスタＭ３を有する。当該薄膜トランジスタは、薄膜トランジスタＭ２のソース極に接続される一つのゲート極と、Ｖｇｌを受け付ける一つのドレイン極と、薄膜トランジスタＭ４のゲート極に接続され、且つ第２の出力ポート３９ｂに接続される一つのソース極とを有する。Ｍ３はＭ２が出力する制御電圧あるいは薄膜トランジスタＭ９が出力する制御電圧の制御のもとでスイッチ操作を行い、ＶｇｌをＭ４に出力してＭ４を制御し、且つ第２出力ポート３９ｂにＶｇｌを出力する。
【０１０９】
薄膜トランジスタＭ９のドレイン極はＭ３のゲート極に接続される。
【０１１０】
第４のスイッチ素子３６ｄは一つの薄膜トランジスタＭ４を有する。当該薄膜トランジスタは、薄膜トランジスタＭ３のソース極に接続される一つのゲート極と、第１の出力ポート３９ｂに接続される一つのドレイン極と、Ｖｇｈを受け付ける一つのソース極とを有する。Ｍ４はＭ３のソース極が出力する制御電圧の制御のもとでスイッチ操作を行い、Ｖｇｈを第１の出力ポート３９ａから出力するように制御する。薄膜トランジスタＭ１０のドレイン極はＭ４のゲート極に接続される。
【０１１１】
Ｍ１−Ｍ４が順次オンになることで、受け付けた起動電圧である低電圧を遅延して一段下のシフトレジスタに出力する。
【０１１２】
第５のスイッチ素子３６ｅは一つの薄膜トランジスタＭ５を有する。当該薄膜トランジスタは、ＣＬＫ１を受け付ける一つのゲート極と、Ｖｇｌを受け付ける一つのドレイン極と、薄膜トランジスタＭ６のゲート極に接続される一つのソース極とを有する。Ｍ５はＣＬＫ１の制御のもとでスイッチ操作を行い、Ｖｇｌを充電電圧として第２のコンデンサＣ２に出力し、制御電圧として薄膜トランジスタＭ６に出力するように制御する。
【０１１３】
第２のコンデンサＣ２（３７ｂ）は第４のスイッチ素子３６ｄがオンになってＶｇｈを受け付けたときにＭ６をオフにする。
【０１１４】
第２のコンデンサの一端はＭ６のゲート極に接続され、他端はＭ６のソース極に接続される。
【０１１５】
第６のスイッチ素子３６ｆは一つの薄膜トランジスタＭ６を有する。当該薄膜トランジスタは、薄膜トランジスタＭ５のソース極に接続される一つのゲート極と、Ｖｇｌを受け付ける一つのドレイン極と、第１の出力ポート３９ａに接続される一つのソース極とを有する。Ｍ６は、Ｍ５、薄膜トランジスタＭ７が出力する制御電圧または制御のもとでスイッチ操作を行い、Ｖｇｌを第１の出力ポート３９ａから出力するように制御する。
【０１１６】
第７のスイッチ素子３６ｇは一つの薄膜トランジスタＭ７を有する。当該薄膜トランジスタは、ＣＬＫ３を受け付ける一つのゲート極と、Ｖｇｌを受け付ける一つのドレイン極と、薄膜トランジスタＭ６のゲート極に接続される一つのソース極とを有する。Ｍ７はＣＬＫ３の制御のもとでスイッチ操作を行い、Ｖｇｌを制御電圧としてＭ６に出力するように制御する。
【０１１７】
第１の制御素子３８ａは一つの薄膜トランジスタＭ８を有する。当該薄膜トランジスタは、ＣＬＫ３を受け付ける一つのゲート極と、薄膜トランジスタＭ２のゲート極に接続される一つのドレイン極と、Ｖｇｈを受け付ける一つのソース極とを有する。Ｍ８はＣＬＫ３の制御のもとでスイッチ操作を行い、第１のコンデンサＣ１がＶｇｈに接続された後に放電ように制御する。
【０１１８】
第２の制御素子３８ｂは一つの薄膜トランジスタＭ９を有する。当該薄膜トランジスタは、第１の出力ポート３９ａに接続される一つのゲート極と、薄膜トランジスタＭ３のゲート極に接続される一つのドレイン極と、Ｖｇｈを受け付ける一つのソース極とを有する。第１の出力ポート３９ａが出力する電圧の制御のもとでスイッチ操作を行い、Ｖｇｈをオフ電圧としてＭ３に出力するように制御する。
【０１１９】
第３の制御素子３８ｃは一つの薄膜トランジスタＭ１０を有する。当該薄膜トランジスタは、第１の出力ポート３９ａに接続される一つのゲート極と、Ｍ３のソース極に接続される一つのドレイン極と、Ｖｇｈを受け付ける一つのソース極とを有する。第１の出力ポート３９ａが出力する電圧の制御のもとでスイッチ操作を行い、Ｖｇｈをオフ電圧としてＭ４に出力し、且つＶｇｈを第２の出力ポート３９ｂに出力するように制御する。
【０１２０】
Ｍ５ないしＭ７は、Ｍ９とＭ１０がオンになった後にＭ３、Ｍ４を制御してＭ３、Ｍ４をオフにし、且つＶｇｈを第２の出力ポート３９ｂから出力するように、第１の出力ポート３９ａに低電圧を提供する。
【０１２１】
Ｍ８はオンになった後に第１のコンデンサＣ１を放電し、Ｍ２をオフにする。
【０１２２】
第２の出力ポート３９ｂが出力するのは受け付けた電圧信号を遅延させた後の電圧信号であり、当該信号は複数のシフトレジスタが組み合わさった駆動回路において一段下のシフトレジスタに入力する信号とすることができ、第１の出力ポート３９ａが出力するのは第２の出力ポート３９ｂが出力する電圧信号と逆方向の電圧信号であり、同時に逆方向電圧信号による駆動が必要な回路に提供するために用いられる。
【０１２３】
本実施例の作業フローは以下のとおりであり、シーケンス図は図７に示すとおりである。ＣＬＫ１、ＣＬＫ２、ＣＬＫ３、逆方向電圧Ｖｇｈ、起動電圧Ｖｇｌは入力信号であり、第１の出力３９ａと第２の出力３９ｂはシフトレジスタの二つの出力ポートが出力する電圧信号である。
【０１２４】
Ｍ１はＣＬＫ１の低電圧信号の制御のもとでオンになり、受け付けた起動電圧と同じ方向の電圧をＭ２に出力し第１のコンデンサＣ１を充電する。Ｍ５はＣＬＫ１の低電圧信号の制御のもとでオンになり、低電圧をＭ６に出力し第２のコンデンサＣ２を充電する。Ｍ６はＣＬＫ１の低電圧信号の制御のもとでオンになり、低電圧を第１の出力ポート３９ａから出力する。Ｍ９、Ｍ１０は第１の出力ポートが出力する低電圧のもとでオンになり、高電圧をＭ３、Ｍ４に出力し、Ｍ３、Ｍ４をオフにする。高電圧はオンになったＭ１０を通じて第２の出力ポート３９ｂから出力される。
【０１２５】
ＣＬＫ２は低電圧を出力し、同時にＣＬＫ１は高電圧に上がる。ＣＬＫ１が低電圧を出力するときに第１のコンデンサＣ１に蓄積した電圧は、ＣＬＫ２が低電圧を出力するときにＭ２に提供され、Ｍ２は第１のコンデンサＣ１の充電電圧の作用のもとでオンになり、ＣＬＫ２の低電圧はＭ２を通じてＭ３に出力される。Ｍ３がオンになった後、低電圧を第２の出力ポート３９ｂとＭ４に出力する。Ｍ４は低電圧の制御のもとでオンになり、高電圧はＭ４を通じて第１の出力ポート３９ａから出力される。ＣＬＫ２が低電圧であるとき、Ｍ６の出力端の電圧はＶｇｈであり、Ｍ６の制御端はフローリングするため、Ｍ６の出力端と制御端の電位差によってＭ６はオンになり、低電圧も第１の出力ポート３９ａから出力され、このとき、第１の出力ポート３９ａは混乱状態になる。したがって、第２のコンデンサＣ２を付け加えることによって、第２のコンデンサＣ２のブートストラップファンクションによりＭ６の制御端の電圧を低電圧から高電圧に転換し、次の高電圧信号を受け付けるまでＭ６をオフの状態にする。Ｍ９、Ｍ１０は第１の出力ポートが出力した高電圧の制御のもとでオフになる。
【０１２６】
ＣＬＫ３は低電圧を出力し、ＣＬＫ２は高電圧に上がる。Ｍ７は第３のクロック信号の制御もとでオンになり、低電圧をＭ６に出力し、Ｍ６はオンになった後に低電圧を第１の出力ポート３９ａから出力する。Ｍ９、Ｍ１０は第１の出力ポートが出力する低電圧の制御のもとでオンになり、高電圧をＭ３、第２の出力ポート３９ｂとＭ４に出力し、Ｍ３、Ｍ４がオフになる。Ｍ８はＣＬＫ３の制御のもとでオンになり、高電圧を第１のコンデンサＣ１に出力し、放電させる。
【０１２７】
本実施例におけるＣＬＫ１、ＣＬＫ２とＣＬＫ３の起動電圧の継続時間は一周期の１／３に限らず、起動電圧の継続時間は必要に応じて調整することができ、ＣＬＫ１、ＣＬＫ２及びＣＬＫ３の起動電圧の出現が時間上つながって循環するものであればよい。即ち、ＣＬＫ１の起動電圧がオフになったときにＣＬＫ２の起動電圧がオンになり、ＣＬＫ２の起動電圧がオフになったときにＣＬＫ３の起動電圧がオンになり、ＣＬＫ３の起動電圧がオフになったときにＣＬＫ１の起動電圧がオンになればよい。
【０１２８】
本発明は複数のシフトレジスタが組み合わさって構成される駆動回路を更に提供する。以下、図面を用いて本発明の駆動回路について説明する。
【０１２９】
図８に示すように、駆動回路は第１段のシフトレジスタ８１と、最後の段のシフトレジスタ８Ｎと、少なくとも一つの中間の段のシフトレジスタ８２〜８Ｎ−１から構成される。それぞれのシフトレジスタは上記の各実施例における前記シフトレジスタを採用し、各シフトレジスタの間はカスケード接続方式を用いて接続される。それぞれのシフトレジスタは二つの出力ポートを有し、第１の出力ポートが出力する電圧信号は受け付けた電圧信号がシフトされた後に出力する電圧信号であり、第２の出力ポートが出力する電圧信号は第１の出力ポートが出力する電圧信号と逆方向の電圧信号である。それぞれの段のシフトレジスタの電圧シフトモジュールは起動電圧と同じ方向の電圧を受け付ける。
【０１３０】
第１段のシフトレジスタ８１は、起動電圧と同じ方向の電圧を受け付け、当該起動電圧と同じ方向の電圧は外部からのトリガであり、第２の出力ポート３９ｂから一段下のシフトレジスタの電圧シフトモジュールに電圧を出力し、且つ第１の出力ポート３９ａから第２の出力ポート３９ｂが出力する電圧と逆方向の電圧を出力するために用いられる。
【０１３１】
それぞれの中間の段のシフトレジスタ８２〜８Ｎ−１は一段上のシフトレジスタの第２の出力ポート３９ｂが出力する電圧を受け付け、第２の出力ポート３９ｂから一段下のシフトレジスタの電圧シフトモジュールに電圧を出力し、且つ第１の出力ポート３９ａから第２の出力ポート３９ｂが出力する電圧と逆方向の電圧を出力するために用いられる。
【０１３２】
最後の段のシフトレジスタ８Ｎは一段上のシフトレジスタの第２の出力ポート３９ｂが出力する電圧を受け付け、且つ第１の出力ポート３９ａから第２の出力ポート３９ｂが出力する電圧と逆方向の電圧を出力するために用いられる。
【０１３３】
一段上のシフトレジスタの第２の出力ポートが出力する電圧を一段下のシフトレジスタの電圧シフトモジュールに入力する。また、一段上のシフトレジスタの第１の起動電圧信号をオフにするように制御した後、一段下のシフトレジスタの第１の起動電圧信号をオンにするように制御する。
【０１３４】
図８における実施例では、シフトレジスタ８１は駆動回路における第１段のシフトレジスタである。シフトレジスタ８２はシフトレジスタ８１の一段下のシフトレジスタであり、シフトレジスタ８３はシフトレジスタ８２の一段下のシフトレジスタであり、といった具合に、８Ｎの最後の段のシフトレジスタまで類推する。それぞれのシフトレジスタはいずれもＣＬＫ１、ＣＬＫ２とＣＬＫ３によって制御される。そして、ＣＬＫ１が先に一つの起動電圧を出現させ、ＣＬＫ１の起動電圧がオフになった後にＣＬＫ２に一つの起動電圧が一つの起動電圧を出現させ、ＣＬＫ２の起動電圧がオフになった後にＣＬＫ３に一つの起動電圧が出現され、ＣＬＫ３の起動電圧がオフになった後にＣＬＫ１に一つの起動電圧が出現される。
【０１３５】
シフトレジスタ８１の第１の起動電圧信号８１ａはＣＬＫ１から入力され、第２の起動電圧信号８１ｂはＣＬＫ２から入力され、第３の起動電圧信号８１ｃはＣＬＫ３から入力される。また、シフトレジスタ８１の一段下のシフトレジスタであるシフトレジスタ８２の第１の起動電圧信号８２ａはＣＬＫ２から入力され、第２の起動電圧信号８２ｂはＣＬＫ３から入力され、第３の起動電圧信号８２ｃはＣＬＫ１から入力される、といった具合に類推していく。このように、一段上のシフトレジスタの第１の起動電圧信号がオフになった後に一段下のシフトレジスタの第１の起動電圧信号がオンになるように制御する。即ち、一段下のシフトレジスタの第１のクロック信号のクロックはいずれも一段上のシフトレジスタの第１のクロック信号のクロックより１／３周期遅れる。本実施例において、三つのクロック信号の起動電圧期間は同一であるが、実際の応用ではこのような制限はなく、一つ前の起動信号がオフになった後に一つ後の起動信号がオンになり、三つのクロック信号が順次に循環してオンになればよい。
【０１３６】
本実施例の駆動回路において、初めのシフトレジスタが受け付ける信号は外部からのトリガであり、中間の段のシフトレジスタと最後の段のシフトレジスタが受け付ける信号はいずれも自身と接続されている一段上のシフトレジスタの第２の出力ポートが出力した電圧である。同時に、それぞれの段のシフトレジスタはいずれも第１の出力ポートから第２の出力ポートが出力する電圧と逆方向の電圧を本段の出力として出力する。
【０１３７】
本実施例における駆動回路は、複数の本発明におけるシフトレジスタから構成される。それぞれのシフトレジスタはいずれも自身が受け付けた起動電圧を遅延させて出力し、且つ遅延させた電圧と逆方向の電圧も出力する。このように、画素回路において同じ方向と逆方向の二種類の電圧が同時に必要となる場合、本発明の提供する電圧はこのような要求を満たすことができる。
【０１３８】
本発明が提供する表示装置の実施例は、それぞれの表示装置において、上記駆動回路を取り付けるものである。駆動回路は少なくとも二つのシフトレジスタを有し、すべてのシフトレジスタはカスケード接続方式で接続される。
【０１３９】
本発明は更に逆方向の出力を有するシフトレジスタにおけるシフト方法を提供し、以下に図９を用いて本発明の方法の実施例を説明する。
【０１４０】
ステップＳ９０１において、電圧シフトモジュールは第１の起動電圧の制御のもとで起動電圧と同じ方向の電圧を受け付け、第２の起動電圧の制御のもとで第２の出力ポートから起動電圧と同じ方向の電圧を出力する。
【０１４１】
ステップＳ９０２において、電圧逆方向モジュールは受け付けた前記電圧シフトモジュールが出力した電圧の制御のもとで、起動電圧と逆方向の電圧を前記第１の出力ポートから出力し、第１の起動電圧と第３の起動電圧の制御のもとで起動電圧と同じ方向の電圧を前記第１の出力ポートから出力する。
【０１４２】
ステップＳ９０３において、補充電圧モジュールは受け付けた前記電圧逆方向モジュールが出力する電圧の制御のもとで、電圧逆方向モジュールが起動電圧を出力したときに、前記第２の出力ポートから前記起動電圧と逆方向の電圧を出力する。
【０１４３】
ステップＳ９０４において、電圧シフト制御モジュールは受け付けた第３の起動電圧の制御のもとで、電圧逆方向モジュールが起動電圧を出力したときに、電圧シフトモジュールのオフを制御する。
【０１４４】
ただし、前記第１の起動電圧信号、前記第２の起動電圧信号、前記第３の起動電圧信号は順次に循環して出現する。
【０１４５】
当業者は、本発明の趣旨と範囲を逸脱することなく本発明に対して各種変更及び変形を行うことができることは明らかである。このように、これらの変更及び変形が本発明の特許請求の範囲及びその同視できる技術的範囲内であれば、本発明はこれらの変更及び変形を含む意味を有する。
【符号の説明】
【０１４６】
１１    ＤＡＴＡ信号
１２    ＧＡＴＥ信号
１３    ＲＥＳＥＴ信号
１４    ＶＤＤ信号
１５    ＥＭＩＳＳＩＯＮ信号
２１    電圧シフトモジュール
２２    電圧逆方向モジュール
２３    補充電圧モジュール
２４    電圧シフト制御モジュール
２５    電圧安定モジュール
２６    電圧安定制御モジュール
３９ａ  第１の出力ポート
３９ｂ  第２の出力ポート
【図１】
0006043862.tif 000002
【図８】
0006043862.tif 000003
【図２】
0006043862.tif 000004
【図３】
0006043862.tif 000005
【図４】
0006043862.tif 000006
【図５】
0006043862.tif 000007
【図６】
0006043862.tif 000008
【図７】
0006043862.tif 000009
【図９】
0006043862.tif 000010